(57)【要約】      （修正有）【課題】保管時には小さく折りたたむことができ、液体充填時には手提げ形態と背負い形態とを兼用することができる携帯用液体袋を提供する。【解決手段】液体袋は、４方シールの袋本体と袋本体に取り付けられた紐部材とからなる。頂部シール部および底部シール部のそれぞれにおいて、任意の位置に一対の孔が形成されており、紐部材は、頂部シール部の一対の孔を通って環を形成し、かつ、頂部シール部の一対の孔および底部シール部の一対の孔を通って別の環を形成し、これにより、液体袋は手提げ形態と背負い形態とを兼用可能に構成されている。【選択図】図３
0003204269.tif 000002
【実用新案登録請求の範囲】
【請求項１】
袋の前側と後ろ側を構成する対向する一対の平面部および折り襞状に内方に折り込まれた谷折り線を備えるように形成された２つの側面部を有する４方シールの袋本体と、該袋本体に取り付けられた紐部材とからなり、
前記袋本体の各隅部には、閉鎖シール部と三角形状のフィン部とが形成されており、
前記閉鎖シール部は、袋本体を一対の平面部が重なり合い且つ重なり合った平面部の間に前記谷折り線を備えた２つの側面部が介在するように折り畳んだ状態下で対向する袋本体の内面同士を、頂部シール部および底部シール部のうちのいずれかのシール部の任意位置から側面シール部の任意位置までに渡って直線帯状に接着することによって形成されたものであり、
前記三角形状のフィン部は、頂部シール部および底部シール部のうちのいずれかのシール部、側面シール部および閉鎖シール部に囲まれることによって形成されたものであり、
前記頂部シール部および前記底部シール部のそれぞれにおいて、任意の位置に一対の孔が形成されており、該一対の孔は、前記対向する一対の平面部の非接着部として形成されたものであり、
前記紐部材は、前記頂部シール部の前記一対の孔を通って環を形成し、かつ、該頂部シール部の該一対の孔および前記底部シール部の前記一対の孔を通って別の環を形成し、これにより、手提げ形態と背負い形態とを兼用可能に構成されている、
携帯用液体袋。
【請求項２】
前記紐部材は、前記頂部シール部の前記一対の孔を通って形成された環が手提げ用紐として機能し、該頂部シール部の該一対の孔および前記底部シール部の前記一対の孔を通って形成された別の環が背負い用紐として機能する、請求項１に記載の携帯用液体袋。
【請求項３】
前記紐部材は、前記頂部シール部の前記一対の孔および前記底部シール部の前記一対の孔をスライド可能であり、そのことにより、前記環および前記別の環の大きさを調整可能に構成されている、請求項２に記載の携帯用液体袋。
【考案の詳細な説明】
【技術分野】
【０００１】
本考案は、携帯用液体袋に関する。より詳細には、本考案は、保管時には小さく折りたたむことができ、液体充填時には手提げ形態と背負い形態とを兼用することができる携帯用液体袋に関する。
【背景技術】
【０００２】
近年、水等の液体を人力で運搬する容器として、折りたたみ可能な液体袋の実用化の検討が進んでいる。このような液体袋は、収納や保管に場所をとることがないので、使用時（液体充填時）に十分な自立性（剛性）や耐破れ性（強度）が確保できれば、アウトドアレジャーや災害時における使用が増大するものと期待されている。例えば、特許文献１で提案されている携帯用の液体袋は、小さく折りたためることができる柔軟性を有しているにもかかわらず自立性と優れた強度とを兼ね備え、しかも、充填時の運搬に便利であり、容量が大きい場合にも容易に運搬することが可能とされている。しかし、特許文献１に記載の液体袋は、手提げの形態と背負いの形態とがそれぞれ独立した形態であり、使用時に状況に応じて手提げの形態と背負いの形態とを切り替える（兼用する）ことができない。
【先行技術文献】
【特許文献】
【０００３】
【特許文献１】特開平９−７７０９３号公報
【考案の概要】
【考案が解決しようとする課題】
【０００４】
本考案は上記従来の課題を解決するためになされたものであり、その目的とするところは、保管時には小さく折りたたむことができ、液体充填時には手提げ形態と背負い形態とを兼用することができる携帯用液体袋を提供することにある。
【課題を解決するための手段】
【０００５】
本考案の携帯用液体袋は、袋の前側と後ろ側を構成する対向する一対の平面部および折り襞状に内方に折り込まれた谷折り線を備えるように形成された２つの側面部を有する４方シールの袋本体と、該袋本体に取り付けられた紐部材とからなり；前記袋本体の各隅部には、閉鎖シール部と三角形状のフィン部とが形成されており；前記閉鎖シール部は、袋本体を一対の平面部が重なり合い且つ重なり合った平面部の間に前記谷折り線を備えた２つの側面部が介在するように折り畳んだ状態下で対向する袋本体の内面同士を、頂部シール部および底部シール部のうちのいずれかのシール部の任意位置から側面シール部の任意位置までに渡って直線帯状に接着することによって形成されたものであり；前記三角形状のフィン部は、頂部シール部および底部シール部のうちのいずれかのシール部、側面シール部および閉鎖シール部に囲まれることによって形成されたものであり；前記頂部シール部および前記底部シール部のそれぞれにおいて、任意の位置に一対の孔が形成されており、該一対の孔は、前記対向する一対の平面部の非接着部として形成されたものであり；前記紐部材は、前記頂部シール部の前記一対の孔を通って環を形成し、かつ、該頂部シール部の該一対の孔および前記底部シール部の前記一対の孔を通って別の環を形成し、これにより、携帯用液体袋は、手提げ形態と背負い形態とを兼用可能に構成されている。
１つの実施形態においては、前記紐部材は、前記頂部シール部の前記一対の孔を通って形成された環が手提げ用紐として機能し、該頂部シール部の該一対の孔および前記底部シール部の前記一対の孔を通って形成された別の環が背負い用紐として機能する。
１つの実施形態においては、前記紐部材は、前記頂部シール部の前記一対の孔および前記底部シール部の前記一対の孔をスライド可能であり、そのことにより、携帯用液体袋は、前記環および前記別の環の大きさを調整可能に構成されている。
【考案の効果】
【０００６】
本考案によれば、保管時には小さく折りたたむことができ、液体充填時には手提げ形態と背負い形態とを兼用することができる携帯用液体袋を実現することができる。
【図面の簡単な説明】
【０００７】
【図１】本考案の携帯用液体袋の一例を折りたたんだ状態を示す概略正面図である。
【図２】図１の携帯用液体袋の袋本体を折りたたんだ状態を示す概略正面図である。
【図３】図１の携帯用液体袋に内容物を充填した状態における背負い形態を示す概略斜視図である。
【図４】図１の携帯用液体袋に内容物を充填した状態における手提げ形態を示す概略斜視図である。
【図５】図１の携帯用液体袋の袋本体に紐部材を取り付ける手順を説明する概略正面図である。
【考案を実施するための形態】
【０００８】
以下、本考案の具体的実施例を図面に基づいて詳細に説明する。なお、本明細書においては、携帯用液体袋が背負い形態である場合に使用者が右腕を通す側を「右側」、使用者が左腕を通す側を「左側」と称する。また、携帯用液体袋が背負い形態である場合に使用者の背中と接する側を「後側」、その反対側を「前側」と称する。これは、図面の右側および左側、ならびに、前側および後側と一致する。ただし、この定義は袋の各部分の相対的な位置関係を説明するためのものであり、「右」と「左」、「前」と「後」を逆に読み変えても差し支えない。
【０００９】
図１は本考案の携帯用液体袋の一例を折りたたんだ状態を示す概略正面図であり、図２は図１の携帯用液体袋の袋本体を折りたたんだ状態を示す概略正面図であり、図３は図１の携帯用液体袋に内容物を充填した状態における背負い形態を示す概略斜視図であり、図４は図１の携帯用液体袋に内容物を充填した状態における手提げ形態を示す概略斜視図であり、図５は図１の携帯用液体袋の袋本体に紐部材を取り付ける手順を説明する概略正面図である。
【００１０】
携帯用液体袋１００は、袋本体１０と紐部材６０とからなる。袋本体１０は代表的には折りたたんだ状態で正面視四角形であり、袋の前側を構成する平面部（前平面部）１１、後ろ側を構成する平面部（後平面部）１２、折り襞状に内方に折り込まれた谷折り線１５を備えるように形成された左側面部１３および右側面部１４を有する。袋本体１０は、前平面部１１および後平面部１２がそれぞれ、外郭を規定する４辺が頂部シール部２１ａ、２２ａ、底部シール部２１ｂ、２２ｂ、左シール部２１ｃ、２２ｃ、および右シール部２１ｄ、２２ｄとされている４方シールの袋体である。さらに、前平面部１１の頂部シール部２１ａと後平面部１２の頂部シール部２２ａとは所定の位置で接着され、前後接着部３０ａが形成されている。同様に、前平面部１１の底部シール部２１ｂと後平面部１２の底部シール部２２ｂとは所定の位置で接着され、前後接着部３０ｂが形成されている。
【００１１】
前平面部１１の各隅部には、閉鎖シール部２５ａが形成されている。同様に、後平面部１２の各隅部にも、閉鎖シール部２５ｂが形成されている。閉鎖シール部２５ａ、２５ｂはそれぞれ、袋本体１０を前平面部１１および後平面部１２が重なり合い且つ重なり合った平面部の間に谷折り線１５を備えた左側面部１３および右側面部１４が介在するように折り畳んだ状態下で対向する袋本体の内面同士を、頂部シール部２１ａ、２２ａまたは底部シール部２１ｂ、２２ｂの所定位置から左シール部２１ｃ、２２ｃまたは右シール部２１ｄ、２２ｄの所定位置までに渡って直線帯状に接着することによって形成されている。図示例では、閉鎖シール部は、頂部シール部または底部シール部の中央部に形成された前後接着部の外側に対応する位置から斜め方向に左シール部または右シール部まで延びて形成されている。その結果、前平面部１１の４隅に、閉鎖シール部と頂部シール部または底部シール部と左シール部または右シール部とで囲まれることにより規定された三角形状のフィン部（左上フィン部２７ａ、左下フィン部２７ｂ、右上フィン部２７ｃ、右下フィン部２７ｄ）が形成されている。同様に、後平面部１２の４隅にも三角形状のフィン部（左上フィン部２７ｅ、左下フィン部２７ｆ、右上フィン部２７ｇ、右下フィン部２７ｈ）が形成されている。なお、上記のシール部および前後接着部は、代表的にはヒートシールにより形成されている。
【００１２】
前平面部１１の所定の位置には、内容物を繰り返し充填および排出するための注出口４０が設けられている。図示例では、注出口４０は、前平面部１１の頂部近傍および左右方向の略中央部に設けられている。抽出口４０を前平面部の頂部近傍に設けると、運搬時等に注出口が邪魔にならず、地面に降ろした時に汚れず、また内容物の排出性も良好である。抽出口４０を左右方向の略中央部に設けると、内容物の排出性がさらに良好となる。
【００１３】
袋本体１０は、代表的には樹脂フィルムで構成される。樹脂フィルムを用いることにより、上記のシール部および前後接着部をヒートシールにより形成することができる。樹脂フィルムは、用途に応じて透明であってもよく不透明であってもよい。樹脂フィルムを構成する材料としては、例えば、延伸ナイロン（ＯＮ）、ポリエチレン（ＰＥ）、線状低密度ポリエチレン（ＬＬＤＰＥ）、ポリ塩化ビニリデンコートＯＮ、ポリエチレンテレフタレート（ＰＥＴ）、ＬＬＤＰＥ・エチレン−ビニルアルコール共重合体が挙げられる。樹脂フィルムに金属または金属酸化物を蒸着してもよい。樹脂フィルムは、単一層のフィルムであってもよく、積層フィルムであってもよい。樹脂フィルムの材料、構造（例えば、積層フィルムの層の数、積層順序）、厚み等は液体袋の用途等に応じて適切に設定される。
【００１４】
本考案の実施形態においては、上記のとおり、前平面部１１の頂部シール部２１ａと後平面部１２の頂部シール部２２ａとが所定の位置で接着され、前後接着部３０ａが形成され；前平面部１１の底部シール部２１ｂと後平面部１２の底部シール部２２ｂとが所定の位置で接着され、前後接着部３０ｂが形成されている。図示例では、頂部シール部の左右方向の略中央部、ならびに、頂部シール部の上部における左シール部および右シール部から中央部にかけての所定の位置まで前後接着部３０ａが形成されている。同様に、図示例では、底部シール部の左右方向の略中央部、ならびに、底部シール部の下部における左シール部および右シール部から中央部にかけての所定の位置まで前後接着部３０ｂが形成されている。結果として、頂部シール部の所定位置に一対の孔５１、５２が形成され、および、底部シール部の所定位置に一対の孔５３、５４が形成される。図示例では、一対の孔５１、５２および一対の孔５３、５４はそれぞれ、左右方向の中央部近傍かつ中央に対して対称な位置に形成されている。当該孔は、前平面部１１と後平面部１２の非接着部として、前平面部１１と後平面部１２との間に規定される。
【００１５】
紐部材６０は、頂部シール部の孔５１を通り、前側の左上フィン部２７ａと後側の左上フィン部２７ｅとの間を通り、前側の右上フィン部２７ｃと後側の右上フィン部２７ｇとの間を通り、頂部シール部の孔５２を通って袋本体１０の上側に環６１を形成している。紐部材６０の孔５１を通った部分と孔５２を通った部分とは、袋本体１０の上側で固結びされている。さらに、紐部材６０は、固結びされた部分から延びた一方が孔５１を通り、前側の左上フィン部２７ａと後側の左上フィン部２７ｅとの間を通り、前側の左下フィン部２７ｂと後側の左下フィン部２７ｆとの間を通り、底部シール部の孔５３を通る。固結びされた部分から延びた他方は、孔５２を通り、前側の右上フィン部２７ｃと後側の右上フィン部２７ｇとの間を通り、前側の右下フィン部２７ｄと後側の右下フィン部２７ｈとの間を通り、底部シール部の孔５４を通る。孔５３を通った端部と孔５４を通った端部とは、袋本体１０の下側で固結びされて、袋本体１０の前平面部と後平面部との間から左右に出張った別の環６２を形成している。このような構成により、携帯用液体袋１００は、図３に示されるような背負い形態と図４に示されるような手提げ形態とを兼用可能に構成されている。具体的には、紐部材６０は、孔５１、５２を通って形成された環６１が手提げ用紐として機能し、孔５１、５２および孔５３、５４を通って形成された別の環６２が背負い用紐として機能する。代表的には、紐部材６０は、孔５１、５２および孔５３、５４をスライド可能に通されている。このような構成により（および必要に応じて固結びをほどいて結び直すことにより）、環６１および別の環６２の大きさを調整することが可能となる。また、充填した液体袋を持つ際に紐部材に適切な遊びがあるので、非常に持ちやすくなる。結果として、携帯用液体袋１００は、手提げの形態または背負いの形態のいずれの形態で使用する場合においても、取扱い性に非常に優れる。
【００１６】
紐部材６０の袋本体１０への取り付け手順を簡単に説明する。まず、図５（ａ）に示すように、紐部材６０を構成する紐の所定部分６５を袋本体の横幅に合わせて、紐の残りの部分を袋本体の左右に配置する。当該部分６５は、代表的には紐の中央部分である。中央部分以外の残りの紐の長さが左右均等となるので、環６１および別の環６２を形成しやすいからである。次に、図５（ｂ）に示すように、左に配置された所定部分６６を折り曲げて重ねた状態で孔５１に通す。同様に、右に配置された所定部分６７を折り曲げて重ねた状態で孔５２に通す。孔５１を通った所定部分６６と孔５２を通った所定部分６７とを固結びする。このようにして、袋本体１０の上側に環６１が形成される。次に、図５（ｃ）に示すように、固結び部分から延びる紐の左部分の端部を孔５３に通し、右部分の端部を孔５４に通し、端部同士を固結びする。このようにして、袋本体１０の下側に別の環６２が形成される。紐の長さと部分６６、６７の位置を調整することにより、環６１および別の環６２の大きさを調整することができる。以上のようにして、図１に示すような携帯用液体袋を作製することができる。
【産業上の利用可能性】
【００１７】
本考案の携帯用液体袋は、アウトドアレジャーや災害時において人力で水等の液体を運搬する際に好適に利用され得る。
【符号の説明】
【００１８】
１０    袋本体
１１    前平面部
１２    後平面部
１３    左側面部
１４    右側面部
２１ａ、２２ａ  頂部シール部
２１ｂ、２２ｂ  底部シール部
２１ｃ、２２ｃ  左シール部
２１ｄ、２２ｄ  右シール部
２７ａ、２７ｅ  左上フィン部
２７ｂ、２７ｆ  左下フィン部
２７ｃ、２７ｇ  右上フィン部
２７ｄ、２７ｈ  右下フィン部
３０ａ、３０ａ  前後接着部
４０    注出口
５１、５２、５３、５４  孔
６０    紐部材
６１    環
６２    別の環
１００    携帯用液体袋
【図１】
0003204269.tif 000003
【図２】
0003204269.tif 000004
【図３】
0003204269.tif 000005
【図４】
0003204269.tif 000006
【図５】
0003204269.tif 000007